(57)【要約】【課題】軟性樹脂を使用せず、表面部材に小さな欠け口を設置する必要をなくして、軟性樹脂の飲み込み事故を防止し、併せて生産コストを削減する。【解決手段】塑性圧縮玩具３は一つの中空の密閉塑性表面部材３０によって構成される。この表面部材３０は外力の圧迫を受けたときに内部の気圧により外部に突出する最低一つの凹部３１が設けられ、この凹部３１に支柱３２が一体に連結されて、支柱３２の末端に一つの突起物３３が結合される。表面部材３０の圧迫により突起物３３が自動的に飛び出し、誇張的で面白い効果を演出する。【選択図】図３
0003126452.tif 000002
【実用新案登録請求の範囲】
【請求項１】
一つの中空の密閉塑性表面部材を有し、当該表面部材に外力の圧迫を受けたときに内部の気圧により外部に突出する凹部が最低一つ設けられ、前記凹部の内側に支柱が一体に連結されて、当該支柱の末端に一つの突起物が結合されることを特徴とする塑性圧縮玩具。
【請求項２】
凹部の厚みは密閉塑性表面部材のいずれの部位よりも薄い請求項１に記載の塑性圧縮玩具。
【請求項３】
凹部は半球状の凹ホールをなす請求項１又は２に記載の塑性圧縮玩具。
【請求項４】
支柱は凹部の中央に配置される請求項１乃至３のいずれかに記載の塑性圧縮玩具。
【請求項５】
突起物は密閉塑性表面部材よりも硬度の高いものが採用される請求項１乃至４のいずれかに記載の塑性圧縮玩具。
【請求項６】
突起物にＡＢＳ樹脂材質が使用される請求項５に記載の塑性圧縮玩具。
【請求項７】
密閉塑性表面部材にＰＶＣ樹脂材質が使用される請求項６に記載の塑性圧縮玩具。
【請求項８】
突起物の内側に揺れ動く球体が包み込まれる請求項１乃至７のいずれかに記載の塑性圧縮玩具。
【請求項９】
密閉塑性表面部材の内側に液体または流体が充填される請求項１乃至８のいずれかに記載の塑性圧縮玩具。
【請求項１０】
密閉塑性表面部材はベース上に結合される請求項１乃至９のいずれかに記載の塑性圧縮玩具。
【請求項１１】
ベースは筆記具、発光器、蛍光スティック、着信表示装置、スタンプ、えんぴつ削り器のいずれかから採用される請求項１０に記載の塑性圧縮玩具。
【考案の詳細な説明】
【技術分野】
【０００１】
本考案は、塑性圧縮玩具に関し、特に、圧縮後の密閉圧力により特定の部位に顕著な変化を生じせしめる塑性圧縮玩具に関する。
【背景技術】
【０００２】
従前、本願考案者により開発された塑性圧縮玩具が特許文献１に開示されている。この塑性圧縮玩具は、図１、図２に示すように、一つの造型玩具１、及び一つの造型玩具１の下に設けられたベース２によって構成される。造型玩具１は、中空の弾性塑性表面部材１１と、この表面部材１１の内側に充填される高靱性軟性樹脂１２とによって形成され、表面部材１１の適切な位置に最低一つの小さい欠け口１３が設けられて、軟性樹脂１２が圧迫を受けた時にその小さい欠け口１３から外部に突出して一つの凸体１４が形成され、圧力が解除されると、凸体１４は自身の弾性収縮能力により小さい欠け口１３から自動的に表面１２の内側に縮小回帰し、表面１２も元の形に回復するようになっている。この凸体１４は目玉や、ウンチ等にすることができる。ベース２には娯楽性に富んだえんぴつ削り器やプッシュスタンプ等の発光器または文具を採用することができる。例えば、発光器が圧迫を受けると、上部のＬＥＤが発光し、造型玩具１は変形と同時にその光線の下で誇張された表情及び投影効果を呈し、新奇で、面白い効果を生むことができる。
【特許文献１】中華民国公告第４９７４４５番  “発光効果をもつ圧縮玩具”
【考案の開示】
【考案が解決しようとする課題】
【０００３】
しかしながら、上記従来の塑性圧縮玩具は、（１）中空の弾性塑性表面部材をもっている造型玩具であること、（２）塑性表面の内側に、例えばシリコン、エポキシ樹脂など高靱性軟性樹脂が充填されていること、（３）塑性表面に軟性樹脂が圧迫を受けた時に外側に突出可能な小さな欠け口が設けられていること、の条件を満たす必要があるが、実際の使用において、次のような問題点が指摘されている。
（１）表面部材を過度に圧迫すると、その内部の軟性樹脂が過大の圧力により表面部材の小さい欠け口から突出され、その程度が本来の突出範囲を超えている。突出された軟性樹脂は重量がその材質のもつ弾性の限界を超えているため、圧力が解除された後でも、軟性樹脂は表面の内側に自動的に縮小回帰されず、造型玩具としてはそれ以上使用することが出来なくなる。過度に力を加えてしまうと、このような状況がしばしば発生している。
（２）表面部材から突出された軟性樹脂を幼児が強く吸ったり、噛んだりして飲み込み事故に繋がる恐れがあり、安全性の問題がある。
（３）軟性樹脂を過度に圧迫しないように力を加減すると、軟性樹脂は表面の小さい欠け口から少し突出するだけで、著しい変化が見られず、ある程度の娯楽効果は得られるが、やや誇張性に欠ける感がある。
（４）この玩具の場合、表面部材にボディーを成型してからその内側に軟性樹脂が充填され、充填が完了した後は充填口を密閉するという最低３つの加工手順を必要とする。これに伴って加工コストも高い。
【０００４】
本考案は、このような従来の課題に鑑みなされたもので、その主な目的は、軟性樹脂を使用せず、表面部材に小さな欠け口を設置する必要をなくして、軟性樹脂の飲み込み事故を防止し、併せて生産コストの削減にも役立つ塑性圧縮玩具を提供することにある。
【課題を解決するための手段】
【０００５】
上記課題を解決するために、本考案の塑性圧縮玩具は、一つの中空密閉塑性表面を有し、その塑性表面には外力の圧迫を受けた時に内部の気圧により外部に突出する凹部が最低一つ設けられており、前述の凹部の内側には支柱が一体連結され、支柱３２末端は一つの突起物と結合していることを要旨とする。この場合、凹部の厚みは塑性表面のいずれの部位よりも薄いものである。凹部は半円ボールのような形をした凹ホールとなっている。支柱は半円球形ホール中央に位置している。突起物には塑性表面よりも硬度の高いものを採用する。突起物にはＡＢＳ樹脂材質を使用する。塑性表面にはＰＶＣ樹脂材質を使用する。突起物の内側は揺れ動く球体を包み込んでいる。密閉型中空塑性表面の内側には液体または流体が充填されている。この塑性圧縮玩具はベース上に結合されている。ベースは筆記具、発光器、蛍光スティック、着信表示装置、スタンプ、えんぴつ削り器のいずれかを採用することができる。
【考案の効果】
【０００６】
本考案の塑性圧縮玩具は、上記の構成により、中空の密閉塑性表面部材が外部から圧迫されると、内部の気圧により凹部から突起物が突出される構造が採用され、表面部材（塑性表面）に小さい欠け口を設けず、内部に軟性樹脂を含んでいないので、従来のように、外力の圧迫を受けて軟性樹脂が小さい欠け口より突出するようなことがなく、幼児の誤飲事故の心配は無く、また、製造を効率良く行え、生産コストの削減にも役立つ。また、表面部材の凹部は向きを転換して凸体とすることもできるため、従来の塑性圧縮玩具よりも高い娯楽性と誇張性を実現することができる。
【考案を実施するための最良の形態】
【０００７】
以下、本考案を実施するための最良の形態について図を用いて説明する。図３乃至図５は本考案の第１の実施の形態を示している。図３は塑性圧縮玩具の外観を示している。図３に示すように、塑性圧縮玩具３は一つの中空の密閉塑性表面部材３０によって構成され、この表面部材３０には気圧作用により外部に突出可能な凹部３１が最低一つ設けられて、この凹部３１に支柱３２が一体に連結され、支柱３２の末端に一つの突起物３３が結合される。この表面部材３０の凹部３１を利用して眼窩の窪み、動物の肛門、鼻孔、口、りんごの凹み、樹木の穴等を表現することができる。この場合、凹部３１を眼窩の窪みとして例示している。
【０００８】
この玩具３の場合、表面部材３０は樹脂注入成形法により成形され、ＰＶＣまたはＰＶＣ材質に類似した軟質ビニールを型抜きした後、空気を残し、それに続く加工により予め残した空気穴を封じ込めて、中空密閉型の軟性樹脂ボディーに形成される。凹部３１は表面部材３０の樹脂注入成形と同時に形成される。この凹部３１の厚みは塑性表面３０のいずれの部位よりも薄いものでなくてはならない。塑性圧縮玩具３が圧迫を受けた後、気体は薄い部位に集中して変形の効果を生じさせるため、凹部３１を他の部位よりも薄くすると、気圧は自然とそこに集中して変形の効果を生むことができる。図４にこの塑性圧縮玩具の未圧迫状態を示している。凹部３１が変形する前、即ち塑性表面３０が外部圧力の圧迫や圧縮を受けていない状態では、凹部３１は半円ボールのような形をした凹ホールとなっている。なお、凹部３１は異なる位置に任意に設置できるため、凹部３１の位置は特に限定されない。
【０００９】
支柱３２は半円ボール型ホールの中央に位置している。突起物３３は表面部材３０と同じ材料によって共に射出される。この場合、突起物３３に揺れの効果を持たせるために、突起物３３は表面部材３０よりも硬度の高いＡＢＳ樹脂等が使用される。ＡＢＳ樹脂の質量はＰＶＣ樹脂よりも大きいため、突起物３３は適度な重量を有し、表面部材３０から突出されたときに、揺れの効果を発揮することができる。この塑性圧縮玩具３はベース４と結合される。ベース４は筆記具、発光器、蛍光スティック、着信表示装置、スタンプ、えんぴつ削り器のいずれかから採用することができる。
【００１０】
図５に塑性圧縮玩具３が圧迫を受けた状態を示している。表面部材３０は外部の圧力を受けると、比較的薄い凹部３１は直ちに変形して反対方向に突出し、さらに支柱３２の働きにより突起物３３が外部に押し出されている。突起物３３は例えば目玉で、元々ホールのような凹部３１に入り込んでいて、急に飛び出すので、この動作は非常に誇張的で、面白い効果を生み出すことができる。
【００１１】
図６乃至図９に本考案の第２の実施の形態を示している。図６及び図７に示すように、この実施の形態では、第１の実施の形態と異なり、突起物３３の内側に揺れ動く球体３４が包み込まれている。この場合、球体３４は目玉である。球状の目玉は液体の入った透明突起物３３の内側に入れると、この目玉は突起物３３の内側で揺れや回転の動作を見せるため、よりリアルな効果が得られる。
【００１２】
図８及び図９に示すように、塑性圧縮玩具３が圧迫を受けると、表面部材３０の内側は圧力の作用により凹部３１を反対方向に突出させ、その影響で支柱３２及び突起物３３は凹部３１の内側からさらに外部へ押し出され、目玉に揺れが生じるため、誇張的で面白い効果を演出することができる。
【００１３】
図１０及び図１１に本考案の第３の実施の形態を示している。図１０及び図１１に示すように、中空塑性表面３０の内側の空間が広すぎて、圧迫しても凹部３１内の突起物３３を外に押し出すことが出来ない場合、中空塑性表面３０の内部に液体または流体５を注入してその空間を埋めるようにすればよい。塑性圧縮玩具３が圧迫されたときに、その内部の液体或は流体の圧力により凹部３１及び突起物３３を外に押し出すことができる。
【００１４】
ここまで説明した本実用新案の構造、特徴、作用及び効果は新規性及び創作性の登録要件を備えているため、実用新案登録出願を提出する。
【図面の簡単な説明】
【００１５】
【図１】従来の塑性圧縮玩具の未圧迫状態を示す断面図
【図２】同塑性圧縮玩具の圧迫状態を示す断面図
【図３】本考案の第１の実施の形態における塑性圧縮玩具の正面図
【図４】同塑性圧縮玩具の未圧迫状態を示す部分（頭部）断面正面図
【図５】同塑性圧縮玩具の圧迫状態を示す部分（頭部）断面正面図
【図６】本考案の第２の実施の形態における（未圧迫状態の）塑性圧縮玩具の斜視図
【図７】同塑性圧縮玩具の未圧迫状態を示す部分（眼部）断面図
【図８】同塑性圧縮玩具の圧迫状態を示す斜視図
【図９】同塑性圧縮玩具の圧迫状態を示す部分（眼部）断面図
【図１０】本考案の第３の実施の形態を示す（未圧迫状態の）部分（頭部）断面側面図
【図１１】同塑性圧縮玩具の圧迫状態を示す部分（頭部）断面側面図
【符号の説明】
【００１６】
１  塑性圧縮玩具
１１  密閉塑性表面部材
１２  軟性樹脂
１３  小さい欠け口
１４  凸体
２  ベース
３  塑性圧縮玩具
３０  密閉塑性表面部材
３１  凹部
３２  支柱
３３  突起物
３４  球体
４  ベース
５  液体またはジェル
【図１】
0003126452.tif 000003
【図２】
0003126452.tif 000004
【図３】
0003126452.tif 000005
【図４】
0003126452.tif 000006
【図５】
0003126452.tif 000007
【図６】
0003126452.tif 000008
【図７】
0003126452.tif 000009
【図８】
0003126452.tif 000010
【図９】
0003126452.tif 000011
【図１０】
0003126452.tif 000012
【図１１】
0003126452.tif 000013